(57)【要約】 【課題】  地下室等の本体内への浸入水を確実に検知し、そして本体内への浸水を防止する。【解決手段】  フロート（１）と、ラッチ機構（１０）と、ラッチ機構と機械的手段（２０）により接続されている切換弁（３０）とからなる。フロート（１）は、本体（Ｈ）内の底部に直接配置する。切換弁（３０）の流路は、フロートによりラッチ機構のラッチ状態が解除されると、ひねりバネ（２７）の復元力により切り替わる。そして、水道水がピストンシリンダに供給され、防水板は水圧により地上の所定位置まで上昇する。この上昇した防水板により本体内への浸水が阻止される。【選択図】  図１
2005113442.tif 000002
【特許請求の範囲】
【請求項１】
地下室、屋内等の本体内へ浸入する浸入水で浮くフロートと、手動的にラッチ状態にセットされると共に前記フロートの浮力によりラッチ状態が解除されるようになっているラッチ機構と、前記ラッチ機構と機械的手段により接続されている切換弁、警報器等の被駆動部材とからなり、
前記被駆動部材は、前記フロートにより前記ラッチ機構のラッチ状態が解除されると、バネの復元力または錘により作動し、
前記フロートは、前記本体内の所定位置に直接配置されている、ことを特徴とする浸入水感知装置。
【請求項２】
浸入水感知装置が、雨水、河川水、海水等の氾濫水が地下室、屋内等の本体内へ浸入したことを検知すると、前記本体の出入口近傍の所定位置に設置されている防水板が、水道水、貯水タンク中の水等の水圧により駆動されて、氾濫水が前記本体内へ浸入するのが阻止されるようになっている防水装置において、
前記浸入水感知装置は、前記本体内へ浸入する浸入水で浮くフロートと、手動的にラッチ状態にセットされると共に前記フロートの浮力によりラッチ状態が解除されるようになっているラッチ機構と、前記ラッチ機構と機械的手段により接続されている切換弁とからなり、
前記切換弁は、前記フロートにより前記ラッチ機構のラッチ状態が解除されると、バネの復元力または錘により流路が切り替わり、前記防水板が水圧により所定位置へ駆動され、
前記フロートは、前記本体内の所定位置に直接配置されている、ことを特徴とする浸入水感知装置。
【請求項３】
請求項１または２に記載の浸入水感知装置において、フロートが発泡樹脂からなる浸入水感知装置。
【発明の詳細な説明】
【技術分野】
【０００１】
本発明は、浸入水感知装置に関するもので、さらに具体的には限定するものではないが、雨水、河川水、海水等の氾濫水が地下室、屋内等の建造物、ケース等の本体内へ浸入したことを検知する浸入水感知装置に関するもので、この浸入水感知装置が前記本体内へ氾濫水が浸入したことを検知すると、前記本体の出入口近傍の所定位置に設置されている防水板が、水道水、貯水タンク中の水等の水圧により駆動されて、氾濫水が前記本体内へ浸入するのを阻止するようになっている浸入水検知装置に関するものである。
【背景技術】
【０００２】
タンク中の液位、河川の水位等を検知する水位検知装置は、文献名を挙げるまでもなく従来周知で、一般に液面に浮いているフロート、このフロートで作動するスイッチ等からなっている。したがって、水位が所定位置まで上昇すると上昇したフロートがスイッチを作動して信号を発する。この信号に基づいて、給水を停止する、排水する、水門を開ける等の種々の操作がなされるようになっている。
【０００３】
【特許文献１】特願２００１−３２６８７３
【特許文献２】特開２００１−２４１２６１
【０００４】
本出願人は、特許文献１により、通常は地下に配置され、防潮時に地上へ駆動される防水板と、この防水板に対応して地上に設けられている枠状支柱体と、前記防水板を地下から地上へ駆動する駆動装置とから構成され、駆動装置が水道水で作動する水圧ピストン・シリンダユニットから可動防水装置を提案している。この防水板は、所定位置までは枠状支柱体に非接触的に駆動され、所定位置に達すると、その縁部分が枠状支柱体に当接するようになっている。
【０００５】
また、本出願人は特許文献２により、海水、河川水、雨水等の氾濫水が地下室へ浸入するのを堰き止める防水板と、該防水板を地下から側壁に沿って駆動する駆動装置とから構成され、そして駆動装置が水道水が供給される水圧式のピストンシリンダユニットからなる防水装置を提案している。この特許文献２には、水圧式のピストンシリンダユニットに水道水を給排する切換弁も示されている。この切換弁を作動する機構は、浸入水を受ける水受皿と、この水受皿と切換弁とを結んでいるリンク機構とからなっている。したがって、水受皿に浸入水が所定量溜まると水受皿は重量により下がり、切換弁の弁体がリンク機構により回転して流路が切り替わる。そして、ピストンシリンダユニットに水道水が供給される。これにより、防水板が所定位置へ駆動され、地下室等への氾濫水の浸入が防止される。
【発明の開示】
【発明が解決しようとする課題】
【０００６】
フロートと、このフロートを検知するスイッチとからなる従来の水位検知装置は、構造が簡単で低価格であるという利点があり、実用に供されてはいる。しかしながら、欠点もある。例えば、電気的に水位を検知し、そして電気信号により関連部材を駆動するようになっているので、停電時には用をなさない欠点がある。特に、本出願人が特許文献１、２により提案しているような可動防水装置は、災害時の防水を目的としているが、災害時には電力が得られないことが多いので、このような水位検知装置あるいは浸入水感知装置では災害時には防水板が駆動されないことになる。
【０００７】
また、特許文献２に記載されている切換弁を作動する機構は、浸入水を受ける水受皿と、この水受皿と切換弁とを結んでいるリンク機構とからなっているので、すなわち機械的な機構からのみ構成されているので、停電時のような電気が得られないときでも確実に作動するという特徴を有し、現在も問題なく実用に供されている。しかしながら、改良すべき点も認められる。例えば、浸入水は樋により水受皿に導かれるようになっているので、浸入水が水受皿に入らないトラブルが生じることもあり得る。そうすると、切換弁は作動しないことになる。浸入水が水受皿に入らないと、浸入水は地下室に貯まり、やがて水受皿は浸入水で浮くようになる。そうすると、切換弁は永久に作動しないことになる。また、切換弁の弁体が水受皿の重量により駆動されるようになっているので、弁体の駆動に多少の不安もある。さらには、排水ポートあるいは下水口から水が逆流する逆流水に対しては作動しないという問題もある。
【０００８】
以上のように、本出願人が提案している特許文献１、２に記載されている発明によると、防水板を駆動する動力も、また設置スペースも格別に必要とせず、しかも必要時には防水板が駆動され、地下室等を確実に防水することができるという特徴を有するが、切換弁に改良の余地が認められる。
したがって、本発明は、改良された浸入水感知装置を提供すること目的とし、限定するものではないが、特に海水、河川水、雨水等の氾濫水が地下室へ浸入するのを堰き止める防水板と、該防水板を所定位置へ駆動する駆動装置とから構成され、そして駆動装置は水道水等の水が供給される水圧式のピストンシリンダユニットからなる防水装置に適用して好適な浸入水感知装置を提供することを目的としている。
【課題を解決するための手段】
【０００９】
本発明は、上記目的を達成するために、フロートが適用されるが、このフロートは水受皿のような容器を使用することなく、本体内に直接的に設置される。望ましくは本体内の低位置に直接配置される。これにより、浸入水を確実に検知できる。また、排水溝等から本体内に浸水する逆流水も検知できる。さらに、本発明は上記目的を達成するために、切換弁、警報器等は、フロートの浮力ではなく、バネの復元力で作動するように構成される。これにより、フロートの浮力は比較的小さくても、切換弁、警報器等は確実に作動する。また、本発明は、フロートと切換弁、警報器等との間は機械的な手段すなわちラッチ機構を介して接続されている。これにより、災害時のような停電時にも確実に作動する。
【００１０】
上記のようにして、請求項１に記載の発明は、上記目的を達成するために、地下室、屋内等の本体内へ浸入する浸入水で浮くフロートと、手動的にラッチ状態にセットされると共に前記フロートの浮力によりラッチ状態が解除されるようになっているラッチ機構と、前記ラッチ機構と機械的手段により接続されている切換弁、警報器等の被駆動部材とからなり、前記被駆動部材は、前記フロートにより前記ラッチ機構のラッチ状態が解除されると、バネの復元力または錘により作動し、前記フロートは、前記本体内の所定位置に直接配置されるように構成される。
請求項２に記載の発明は、浸入水感知装置が、雨水、河川水、海水等の氾濫水が地下室、屋内等の本体内へ浸入したことを検知すると、前記本体の出入口近傍の所定位置に設置されている防水板が、水道水、貯水タンク中の水等の水圧により駆動されて、氾濫水が前記本体内へ浸入するのが阻止されるようになっている防水装置において、前記浸入水感知装置は、前記本体内へ浸入する浸入水で浮くフロートと、手動的にラッチ状態にセットされると共に前記フロートの浮力によりラッチ状態が解除されるようになっているラッチ機構と、前記ラッチ機構と機械的手段により接続されている切換弁とからなり、前記切換弁は、前記フロートにより前記ラッチ機構のラッチ状態が解除されると、バネの復元力または錘により流路が切り替わり、前記防水板が水圧により所定位置へ駆動され、前記フロートは、前記本体内の所定位置に直接配置されるように構成される。請求項３に記載の発明は、請求項１または２に記載の浸入水感知装置において、フロートが発泡樹脂から構成される。
【発明の効果】
【００１１】
以上のように、本発明によると、地下室、屋内等の本体内へ浸入する浸入水で浮くフロートと、手動的にラッチ状態にセットされると共に前記フロートの浮力によりラッチ状態が解除されるようになっているラッチ機構と、前記ラッチ機構と機械的手段により接続されている切換弁、警報器等の被駆動部材とからなり、前記被駆動部材は、前記フロートにより前記ラッチ機構のラッチ状態が解除されると、バネの復元力または錘により作動し、前記フロートは、前記本体内の所定位置に直接配置されているので、すなわち切換弁、警報器等の被駆動部材は、ラッチ機構と機械的に接続されているので、停電等により電力が得られないときでも、被駆動部材をフロートにより駆動することができ、また被駆動部材はバネの復元力または錘により作動するので、確実に作動するという効果が得られる。また、本発明によると、フロートは本体内の所定位置に直接配置されているので、本体内に浸入する浸水に対しては勿論のこと、排水ポートあるいは下水口から逆流する逆流水に対して確実に作動するという、本発明に特有の効果が得られる。請求項２に記載の発明によると、浸入水感知装置が、雨水、河川水、海水等の氾濫水が地下室、屋内等の本体内へ浸入したことを検知すると、前記本体の出入口近傍の所定位置に設置されている防水板が、水道水、貯水タンク中の水等の水圧により駆動されて、氾濫水が前記本体内へ浸入するのが阻止されるようになっている防水装置において、前記浸入水感知装置は、前記本体内へ浸入する浸入水で浮くフロートと、手動的にラッチ状態にセットされると共に前記フロートの浮力によりラッチ状態が解除されるようになっているラッチ機構と、前記ラッチ機構と機械的手段により接続されている切換弁とからなり、前記切換弁は、前記フロートにより前記ラッチ機構のラッチ状態が解除されると、バネの復元力または錘により流路が切り替わり、前記防水板が水圧により所定位置へ駆動され、前記フロートは前記本体内の所定位置に直接配置されているので、フロートが本体内に浸入する浸入水に対して直接的に作動し、停電等により電力が得られないときでも、本体内への浸入水を確実に阻止することができるという、請求項２に記載の発明に特有の効果が得られる。
【発明を実施するための最良の形態】
【００１２】
以下添付図面により、本発明の実施の形態を説明する。図１は、本実施の形態に係わるフロート１が本体Ｈ内の底部に配置されている状態を示す斜視図である。図１には正確には示されていないが、本体Ｈは本実施の形態では地下室、道路に面した室等であり、災害時に雨水、河川水、海水等の氾濫水が出入口から浸入する室でもある。そして、その出入口近傍には前述した特許文献１、２に示されているような可動防止装置が設けられている。可動防水装置は、概略的には防水板と、この防水板を駆動する水圧ピストンシリンダユニットからなっている。そして、水道水あるいは貯水タンク中の水圧源は、切換弁を介して水圧ピストンシリンダユニットに接続されている。このように構成されている可動防水装置は、通常は路面よりも下の地下に埋設されており、その上は通路の一部として利用されるようになっている。また、必要時に切換弁を切り換えて圧力水を水圧ピストンシリンダユニットに供給すると、防水板が地下から地上の所定高さまで駆動される。これによって、本体Ｈの出入口が閉鎖され、氾濫水が本体Ｈ内へ浸入することが防止されるようになっている。
【００１３】
浸入水感知装置は、フロート１、ラッチ機構１０、弁操作機構２０等からなっている。この弁操作機構２０により切換弁３０の弁体が切り換えられるようになっている。フロート１は、本実施の形態では、安価に得られ耐久性もある発泡樹脂から構成されている。このフロート１の下方の側面は、保持部材２、２により保持されている。保持部材２、２の端部は、本体Ｈの床面Ｆに固定されているブラケット３、３にピン４により回動自在に取り付けられている。このようにフロート１が保持部材２、２により床面Ｆに取り付けられているので、本体Ｈ内が浸水すると、フロート１はピン４を回転の中心として矢印Ａ方向に回動的に浮くことはできるが、妄りな動きは規制されている。フロート１と共に回動的に浮く一方の保持部材２の、図１において右方の端部には、ラッチ解除板５が取り付けられている。また、フロート１は上面も上面保持部材２’で保持され、この上面保持部材２’に取っ手６が設けられている。
【００１４】
ラッチ機構１０は、ラッチピン１１、ラッチ爪１２、スタンド１３等からなっている。スタンド１２は本体Ｈの底部に固定され、その上縁はセット時にラッチピン１１の下面を一時的に受けるピン受１７となっている。ラッチ爪１２は、図１の斜視図には正確には示されていないが、棒状部分とフック状部分とから全体がＬ字形を呈するように構成されている。棒状部分の一方の端部がラッチ解除板５により押し上げられる受動部１５となり、フック状部分がラッチピン１１を抑えている鍵部１６となっている。そして、棒状部分の他方の端部近傍部がピン１９によりスタンド１３に回動自在に取り付けられている。
【００１５】
ラッチピン１１は、水平方向に延び、そして先端部はＬ字部材１８に取り付けられ、このＬ字部材１８に弁操作機構２０のレバー２１が接続されている。弁操作機構２０は、レバー２１と、このレバー２１の後端部を回動自在に支持しているブラケット２５、２５とから構成されている。レバー２１の始端部は、Ｌ字部材１８に一体化され、終端部は二股状に分かれて取付部２２、２２となっている。切換弁３０の弁箱に取り付けられているブラケット２５、２５は、先端は二股状になっている。そして、レバー２１の取付部２２、２２が二股状になっているブラケット２５、２５に挿入された形でピン２６により回動自在に支持されている。取付部２２、２２とブラケット２５、２５とに間には、ひねりバネ２７が設けられ、レバー２１は、図１において矢印Ｂ方向に回動するようにバネ付勢されている。また、レバー２１がひねりバネ２７の復元力により矢印Ｂ方向に回動すると、切換弁３０の弁体が回転し、流路が切り替わるようになっている。
【００１６】
レバー２１は、比較的重量があり、そして図１に示されているセット状体ではレバー２１の回転中心であるピン２６よりも下方に位置している。したがって、ひねりバネ２７の復元力は、レバー２１の重量により相殺されている。これにより、ラッチピン１１は小さな力あるいは小さな摩擦力でラッチ爪１２の鍵部１６に係止している。しかしながら、ラッチ状体が解除され、レバー２１がある程度上昇すると、レバー２１の重量中心とピン２６との間の間隔は小さくなるので、レバー２１の重量の影響あるいは相殺力は小さくなる。これにより、切換弁３０の弁体は、ひねりバネ２７の大きな復元力により確実に切り換えられることになる。
【００１７】
切換弁３０は、本実施の形態では３個のポートを有し、第１のポート３１は、水道管に、第２のポート３２は水圧ピストンシリンダユニトに、そして図示されない第３のポートは排水溝にそれぞれ接続されている。
【００１８】
次に、上記実施の形態の作用について説明する。取っ手６により手動的にフロート１を持ち上げる。そうすると、ラッチ解除板５が上方へ押し上げられ、ラッチ爪１２の受動部１５が上方へ駆動される。ラッチ爪１２はピン１９を中心として、図１において矢印Ｃで示されている方向に回動し、ラッチ爪１２の鍵部１６は開放状態になる。そこで、ラッチピン１１を弁操作機構２０のひねりバネ２７に抗して押し下げ、ラッチピン受１７に載せる。そしてフロート１を下げる。これにより、ラッチピン１１はラッチ爪１２の鍵部１６によりラッチされ、セットされる。このセットによりレバー２１は、図１に示されている状態になり、切換弁３０の第１のポート３１は閉鎖され、第２のポート３２と第３のポートは連通する。水圧ピストンシリンダユニットの水は、第３のポートより排水され、防水板は自重により地下の所定位置に下がる。本体Ｈの出入口近傍に配置されている可動防水装置の防水板は、外部から見えないようになると共に、その上は通路の一部として利用される状態になる。
【００１９】
今、氾濫水あるいは逆流水が本体Ｈ内に浸水すると、あるいはケース排水溝Ｄから浸水すると、やがてフロート１は浮く。そうすると、ラッチ解除板５がラッチ爪１２の受動部１５を押し上げる。ラッチ爪１２は、前述したように図１において矢印Ｃ方向に回動してラッチピン１１を開放する。レバー２１は、ひねりバネ２７の復元力により図１において矢印Ｂ方向に回動する。このひねりバネ２７の復元力により、切換弁３０の弁体が回転し、第１、２のポート３１、３２が連通する。水道水が水圧ピストンシリンダユニットに供給され、防止板が地上の所定高さまで駆動される。これにより、前記した特許文献１、２に記載されているように、本体Ｈ内への氾濫水あるいは逆流水の浸入が防止される。なお、前述したようにして、切換弁３０を元の状態にセットできることは明らかである。
【００２０】
上記実施の形態では、本体Ｈ内が浸水すると、切換弁３０が作動して防水板を駆動するようになっているが、切換弁３０の代わりに機械的な鐘等の警報器を作動させることもできる。この警報により、適宜浸水対策を取ることもできる。また、上記実施の形態では、切換弁３０の弁体は、ひねりバネ２７の復元力のみで作動するようになっているが、図１において点線で示されているように、ひねりバネ２７の代わりに錘Ｗにより作動するように実施することもできる。錘Ｗで実施しても略同様な作用・効果が得られることは明らかである。また、ひねりバネ２７と錘Ｗの両方を設けても同様な作用・効果が得られることも明らかである。
【図面の簡単な説明】
【００２１】
【図１】本発明の実施の形態をセット状態で示す斜視図である。
【符号の説明】
【００２２】
１      フロート                ５      ラッチ解除板
１０      ラッチ機構            １１       ラッチピン
１２      ラッチ爪              ２０      弁操作機構
２１      レバー                ２５      ブラケット
３０      切換弁          ３１、３２      ポート
【図１】
2005113442.tif 000003
【手続補正書】
【提出日】平成15年10月8日(2003.10.8)
【手続補正１】
【補正対象書類名】図面
【補正対象項目名】全図
【補正方法】変更
【補正の内容】
【図１】
2005113442.tif 000004